(57)【要約】【課題】脱硝触媒の目詰まりの原因となる大粒の塊状灰を確実に捕集することができると共に、捕集した塊状灰を燃焼器の運用を停止させることなく排出させることが可能な排煙脱硝装置を提供する。【解決手段】窒素酸化物を除去する脱硝処理を行う脱硝触媒１２と、脱硝触媒１２の排ガスＧの流れ上流側に配置されて排ガスＧを流しつつ排ガスＧに乗って運ばれる塊状灰Ｄを接触させて複数箇所に集めるべくつづら折り状に形成された捕捉金網２１と、捕捉金網２１の塊状灰Ｄが集まる部位に位置して排ガスＧの流れを停滞させることで塊状灰Ｄの勢いを止めて自重落下させるガイド体２２を具備した塊状灰捕捉機構２０を備え、塊状灰捕捉機構２０のガイド体２２の下方には、ガイド体２２で捕えられて自重落下する塊状灰Ｄを溜めると共に、溜めた塊状灰Ｄを石炭焚きボイラＢの稼働中に排ガスＧの系統外に排出可能な排出機構３０が備えられている。【選択図】図２
2015044174.tif 000002
【特許請求の範囲】
【請求項１】
化石燃料を燃焼器で燃焼させる際に該燃焼器から排出される排ガス中に含まれる窒素酸化物を除去する排煙脱硝装置であって、
窒素酸化物を除去する脱硝処理を行う脱硝触媒と、
前記脱硝触媒の排ガス流れ上流側に配置されて前記排ガスを流しつつ該排ガスに乗って運ばれる塊状灰を接触させて少なくとも１箇所に集めるべく形成された捕捉金網と、前記捕捉金網の前記塊状灰が集まる部位に位置して前記排ガスの流れを停滞させることで前記塊状灰の勢いを止めて自重落下させるガイド体を具備した塊状灰捕捉機構を備え、
前記塊状灰捕捉機構の前記ガイド体の下方には、該ガイド体で捕えられて自重落下する前記塊状灰を溜めると共に、溜めた前記塊状灰を前記燃焼器の稼働中に前記排ガス系統外に排出可能な排出機構が備えられている
ことを特徴とする排煙脱硝装置。
【請求項２】
前記排出機構は、前記塊状灰捕捉機構の前記ガイド体で捕えられて自重落下して溜まった前記塊状灰の排出口を有する灰溜め部と、前記塊状灰捕捉機構及び前記灰溜め部の間に位置して双方の流通を遮断開放する開閉弁を具備している請求項１に記載の排煙脱硝装置。
【発明の詳細な説明】
【技術分野】
【０００１】
本発明は、石炭などの化石燃料をボイラ（燃焼器）で燃焼させる際に排出される排ガス中に含まれる窒素酸化物（ＮＯX）を除去するのに用いられる排煙脱硝装置に関するものである。
【背景技術】
【０００２】
上記した排煙脱硝装置は、例えば、石炭焚きボイラからの垂直煙道に続いて配置され、石炭焚きボイラから排出される石炭の燃焼排ガスが、垂直煙道を経てこの排煙脱硝装置が有する脱硝触媒層を上方から下方に通過する過程において、脱硝触媒層の入口手前で注入されたＮＨ3と排ガス中に含まれる窒素酸化物（ＮＯX）との脱硝反応が進むことで窒素酸化物を除去するようになっている。
【０００３】
ここで、排ガス中には、粒径の大きな塊状灰（ポップコーン灰）が含まれている場合があり、この塊状灰は脱硝触媒で目詰まりを発生させ易く、そして、このような塊状灰が脱硝触媒で目詰まりを起こして、そこに燃焼灰の堆積が進行していった場合には、脱硝触媒の目詰まりによって排ガスの流動が妨げられて、ボイラプラントの運転に支障を来たす。
【０００４】
従来において、このような脱硝触媒の目詰まりの原因となる大粒の塊状灰を除去する手段として、垂直煙道にその流路を横断するようにして金網を配置する策が講じられていたが、ばいじん粒子を含む排ガスへの金網の適用にあたっては、捕集した塊状灰を起点とする目詰まりの進行に伴って、当該部の排ガスの流速が徐々に増加することとなって、金網の摩耗による不具合が生じる可能性があった。
【０００５】
近年において、摩耗による不具合の発生を回避しつつ大粒の塊状灰を捕集し得るようにした排煙脱硝装置としては、例えば、特許文献１に記載されたものがある。
この排煙脱硝装置は、排ガスダクト内における脱硝触媒層の入口に、細長い菱形形状の薄板を触媒層の開口幅よりも小さいスリット幅で多数配列させて成る傾斜薄板スリットを配置すると共に、排ガスダクト断面に対して傾斜する傾斜薄板スリットの下端にダスト捕集排出部を取り付けた構成を成しており、この排煙脱硝装置では、傾斜薄板スリットで塊状灰を捕集し、捕集した塊状灰を傾斜するスリットに沿って自重でダスト捕集排出部に移動させるようにしている。
【先行技術文献】
【特許文献】
【０００６】
【特許文献１】特開2012-115719号公報
【発明の概要】
【発明が解決しようとする課題】
【０００７】
ところが、上記した排煙脱硝装置において、塊状灰を捕集することはできるものの、捕集した塊状灰を傾斜薄板スリットの傾斜するスリットに沿って自重でダスト捕集排出部に移動させるようにしているので、傾斜薄板スリット上に捕集した塊状灰が残存する可能性があるうえ、ダスト捕集排出部に溜まった塊状灰を排出させる際には、石炭焚きボイラの運用を停止させなくてはならないという問題を有しており、この問題を解決することが従来の課題となっていた。
【０００８】
本発明は、上記した従来の課題に着目してなされたもので、脱硝触媒の目詰まりの原因となる大粒の塊状灰を確実に捕集することができると共に、捕集した塊状灰を燃焼器の運用を停止させることなく排出することが可能な排煙脱硝装置を提供することを目的としている。
【課題を解決するための手段】
【０００９】
本発明の請求項１に係る発明は、石炭などの化石燃料をボイラなどの燃焼器で燃焼させる際に該燃焼器から排出される排ガス中に含まれる窒素酸化物を除去する排煙脱硝装置であって、窒素酸化物を除去する脱硝処理を行う脱硝触媒と、前記脱硝触媒の排ガス流れ上流側に配置されて前記排ガスを流しつつ該排ガスに乗って運ばれる塊状灰を接触させて少なくとも１箇所に集めるべく形成された捕捉金網と、前記捕捉金網の前記塊状灰が集まる部位に位置して前記排ガスの流れを停滞させることで前記塊状灰の勢いを止めて自重落下させるガイド体を具備した塊状灰捕捉機構を備え、前記塊状灰捕捉機構の前記ガイド体の下方には、該ガイド体で捕えられて自重落下する前記塊状灰を溜めると共に、溜めた前記塊状灰を前記燃焼器の稼働中に前記排ガス系統外に排出可能な排出機構が備えられている構成としたことを特徴としており、この排煙脱硝装置の構成を前述した従来の課題を解決するための手段としている。
【００１０】
また、本発明の請求項２に係る排煙脱硝装置において、前記排出機構は、前記塊状灰捕捉機構の前記ガイド体で捕えられて自重落下して溜まった前記塊状灰の排出口を有する灰溜め部と、前記塊状灰捕捉機構及び前記灰溜め部の間に位置して双方の流通を遮断開放する開閉弁を具備している構成としている。
【００１１】
本発明に係る排煙脱硝装置において、脱硝触媒としては、ハニカム状に形成されたものを使用することができるが、他の方式の触媒を使用することができるのは言うまでもない。
【００１２】
本発明に係る排煙脱硝装置では、石炭などの化石燃料をボイラなどの燃焼器で燃焼させる際に生じる排ガスが、脱硝触媒を通過する過程において、この排煙脱硝装置の入口で注入されるＮＨ3と排ガス中に含まれる窒素酸化物（ＮＯX）との脱硝反応を進行させることで窒素酸化物を除去する。
【００１３】
この間、排ガスに乗って運ばれる塊状灰は、脱硝触媒の上流側に位置している塊状灰捕捉機構の捕捉金網に接触して少なくとも１箇所に集められ、この少なくとも１箇所に集められた塊状灰は、排ガスの流れをせき止めているガイド体により勢いが止められて自重落下し、溜まった塊状灰は、排出機構により排ガスの系統外に排出されることとなる。
【００１４】
この際、排ガスに乗って運ばれる塊状灰は、塊状灰捕捉機構の捕捉金網に接触することで少なくとも１箇所に集められるので、捕捉金網に正面から衝突する場合と比べて摩耗の度合いが少なくなる。また、少なくとも１箇所に集められた塊状灰は、排ガスの流れをせき止めているガイド体によりその勢いが止められて自重落下するので、塊状灰捕捉機構のガイド体に塊状灰が残存するといった事態が生じることが回避されることとなる。
【００１５】
また、排出機構では、塊状灰の排出を燃焼器の稼働中に行うことができるので、プラントの運用上有利となる。そして、この排出機構として、ガイド体で捕えられて自重落下して溜まった塊状灰の排出口を有する灰溜め部と、塊状灰捕捉機構及び灰溜め部の間に位置して双方の流通を遮断開放する開閉弁を具備している構成を採用すると、構造の複雑化を回避しつつ、燃焼器を稼働させたままの塊状灰の排出を行い得ることとなる。
【発明の効果】
【００１６】
本発明に係る排煙脱硝装置では、脱硝触媒の目詰まりの原因となる大粒の塊状灰を確実に捕集することができると共に、捕集した塊状灰を燃焼器の運用を停止させることなく排出することが可能であるという非常に優れた効果がもたらされる。
【図面の簡単な説明】
【００１７】
【図１】本発明の一実施例による排煙脱硝装置を含む排ガス処理システムを示す概略構成説明図である。
【図２】図１における排煙脱硝装置の拡大断面説明図である。
【図３】図２に示した排煙脱硝装置における塊状灰捕捉機構の正面説明図（ａ）及び横断面説明図（ｂ）である。
【図４】図２に示した排煙脱硝装置における塊状灰捕捉機構及び排出機構の拡大断面説明図である。
【図５】本発明の他の実施例による排煙脱硝装置における塊状灰捕捉機構の横断面説明図（ａ）及びさらに他の実施例による排煙脱硝装置における塊状灰捕捉機構の横断面説明図（ｂ）である。
【発明を実施するための形態】
【００１８】
以下、本発明の実施例を図面に基づいて説明する。
図１〜図４は、本発明の一実施例による排煙脱硝装置を示している。
【００１９】
図１に示すように、この排煙脱硝装置１０は、石炭焚きボイラ（燃焼器）Ｂの節炭部Ｂａに煙道１を介して接続しており、この煙道１には、排ガスにアンモニアを注入することでＮＯXを還元して窒素と水に変換する図示しないアンモニア注入ノズルが配置されている。一方、排煙脱硝装置１０から煙突Ｐに至るまでの排ガス処理煙道２の下流側には、エアヒータ３、集塵装置４、誘引ファン５、熱交換器６、脱硫部７及び押込みファン８が順次配置されている。
【００２０】
エアヒータ３は、石炭焚きボイラ用押込みファン９により導入される外部空気を排煙脱硝装置１０から排出される排ガスの熱で暖めて石炭焚きボイラＢに送り込み、熱交換器６は、誘引ファン５により導かれる集塵装置４通過後の排ガスと押込みファン８により導入される脱硫部７通過後の排ガスとの熱交換を行うものとなっている。
【００２１】
この排煙脱硝装置１０は、図２に示すように、通過する排ガスとの接触面積が大きくなるように形成した脱硝触媒１２を具備しており、このような脱硝触媒１２は、煙道１から導入される排ガスＧが上から下に向けて流れるダクト１１の内部において、排ガスＧの流路を横断するようにして複数段（この実施例では３段）設置されている。
【００２２】
また、この排煙脱硝装置１０は、これらの脱硝触媒１２の上流側において排ガスＧの流れに対向して配置されて、この排ガスＧに乗って運ばれる塊状灰を捕捉する塊状灰捕捉機構２０と、この塊状灰捕捉機構２０で捕捉された塊状灰を溜めて排ガス系統外に排出する排出機構３０を備えている。
【００２３】
塊状灰捕捉機構２０は、図３にも示すように、煙道１の斜め部分を覆うようにして配置される捕捉金網２１を具備している。この捕捉金網２１は、排ガスＧを流しつつ塊状灰Ｄを接触させて複数箇所（この実施例では５箇所）に集めるべくつづら折り状に形成されており、折れ線が縦になるようにして煙道１に嵌め込まれている。
【００２４】
この場合、捕捉金網２１の排ガスＧの流れに対して下流側に位置する谷折れの部位、すなわち、捕捉金網２１の塊状灰Ｄが集まる部位には、図３の拡大円内にも示すように、排ガスＧの流れをせき止める断面Ｖ字形状を成すガイド体２２がそれぞれ設置してあり、捕捉金網２１で捕捉されて各ガイド体２２の近傍に集められた塊状灰Ｄは、排ガスＧの流れが停滞することで勢いが止められて自重落下するようになっている。
【００２５】
一方、排出機構３０は、図４にも示すように、塊状灰捕捉機構２０の複数のガイド体２２の各下方に位置する筒体３１と、この筒体３１の下方に位置してガイド体２２で捕えられて自重落下して溜まった塊状灰Ｄの排出口３２ａを有する灰溜め部３２と、塊状灰捕捉機構２０側の筒体３１及び灰溜め部３２の間に位置して双方の流通を遮断開放する開閉弁３３を具備している。
【００２６】
この排出機構３０では、灰溜め部３２に塊状灰Ｄが溜まった時点において、開閉弁３３により筒体３１及び灰溜め部３２の間の流通を遮断したうえで、排出口３２ａに図示しない吸引装置を接続して塊状灰Ｄを排出するようにしている、すなわち、石炭焚きボイラＢを稼働させたまま塊状灰Ｄを排ガスＧの系統外に排出することができるようになっている。
【００２７】
この実施例に係る排煙脱硝装置１０では、石炭を石炭焚きボイラＢで燃焼させる際に生じる排ガスＧが脱硝触媒１２を通過する過程において、この排煙脱硝装置１０の入口で注入されるＮＨ3と排ガス中に含まれる窒素酸化物（ＮＯX）との脱硝反応を進行させることで窒素酸化物を除去する。
【００２８】
この間、排ガスＧに乗って運ばれる塊状灰Ｄは、脱硝触媒１２の上流側に位置している塊状灰捕捉機構２０の捕捉金網２１に接触して複数箇所に集められ、この複数箇所に集められた塊状灰Ｄは、排ガスＧの流れをせき止めている各ガイド体２２により勢いが止められて自重落下する。
【００２９】
この際、排ガスＧに乗って運ばれる塊状灰Ｄは、塊状灰捕捉機構２０の捕捉金網２１に接触することで複数箇所に集められるので、捕捉金網２１に正面から衝突する場合と比べて摩耗の度合いが少なくなる。
【００３０】
また、複数箇所に集められた塊状灰Ｄは、排ガスＧの流れをせき止めているガイド体２２によりその勢いが止められて自重落下するので、塊状灰捕捉機構２０のガイド体２２に塊状灰Ｄが残存するといった事態が生じることが回避されることとなる。
【００３１】
そして、排出機構３０の灰溜め部３２に塊状灰Ｄが溜まった時点において、排出機構３０の開閉弁３３を操作して筒体３１及び灰溜め部３２の間の流通を遮断したうえで、排出口３２ａに図示しない吸引装置を接続すれば、溜まった塊状灰Ｄが排ガスＧの系統外に排出されることとなる。
【００３２】
このように、排出機構３０では、構造の複雑化を回避しつつ、塊状灰Ｄの排出を石炭焚きボイラＢの稼働中に行うことができるので、プラントの運用上有利となる。
【００３３】
本発明に係る排煙脱硝装置の構成は、上記した実施例に限定されるものではなく、例えば、図５（ａ）に示すように、湾曲部分が連続するように捕捉金網２１Ａを形成すると共に湾曲部分の各中央にガイド体２２Ａを配置するようにした塊状灰捕捉機構２０Ａを採用したり、図５（ｂ）に示すように、Ｖ字形状を成すように捕捉金網２１Ｂを形成すると共に中央の折曲部分にガイド体２２Ｂを配置するようにした塊状灰捕捉機構２０Ｂを採用したりしてもよい。
【符号の説明】
【００３４】
１０  排煙脱硝装置
１２  脱硝触媒
２０  塊状灰捕捉機構
２１  捕捉金網
２２  ガイド体
３０  排出機構
３２  灰溜め部
３２ａ  排出口
３３  開閉弁
Ｂ  石炭焚きボイラ（燃焼器）
Ｄ  塊状灰
Ｇ  排ガス
【図１】
2015044174.tif 000003
【図２】
2015044174.tif 000004
【図３】
2015044174.tif 000005
【図４】
2015044174.tif 000006
【図５】
2015044174.tif 000007